(57)【特許請求の範囲】
【請求項１】
通気性と吸液性を有するシートを所定の折り幅で山折り、谷折りを交互に繰り返して多数折り畳んだひだ形状で、かつ扁平な加工シート材２１に薬剤を含浸して保持し、その加工シート材２１の山と谷が連続した形状となった端面部分２２を接合してひだ形状がくずれないように保持した薬剤保持体２０と、固定具３０を備え、
前記固定具３０は、薬剤保持体２０の周縁部を保持する保持部と、前記薬剤保持体２０に空気が流通可能とする空気流通部を有していることを特徴とする薬剤カートリッジ。
【請求項２】
通気性と吸液性を有するシートを所定の折り幅で山折り、谷折りを交互に繰り返して多数折り畳んだひだ形状で、かつ扁平な加工シート材２１に薬剤を含浸して保持し、その加工シート材２１の山と谷が連続した形状となった端面部分２２を接合してひだ形状がくずれないように保持した薬剤保持体２０と、空気流通部を有する容器４０を備え、
前記薬剤保持体２０を前記容器４０内に設けて、当該薬剤保持体２０に空気が流通するようにしたことを特徴とする薬剤カートリッジ。
【請求項３】
通気性と吸液性を有するシートを所定の折り幅で山折り、谷折りを交互に繰り返して多数折り畳んだひだ形状で、かつ扁平な加工シート材２１に薬剤を含浸して保持した薬剤保持体２０と、固定具３０を備え、
前記固定具３０は、薬剤保持体２０の周縁部を保持する保持部と、前記薬剤保持体２０に空気が流通可能とする空気流通部を有し、前記薬剤保持体２０の周縁部を挟持して加工シート材２１の山と谷が連続した形状となった端面部分２２を押しつぶしてひだ形状がくずれないように保持していることを特徴とする薬剤カートリッジ。
【発明の詳細な説明】
【技術分野】
【０００１】
本発明は、害虫防除剤、芳香剤、消臭剤など、揮散性を有する薬剤を保持し、ファン式薬剤放散装置等に用いることで薬剤を大気に放散させる薬剤カートリッジに関する。
【背景技術】
【０００２】
特許文献１に開示されるファン式薬剤放散装置が知られている。
このファン式薬剤放散装置は、装置本体内に、送風機と薬剤カートリッジと電源収納体を設けたもので、その送風機はファンとモータを有し、薬剤カートリッジは通気性を有する容器内に、薬剤を含浸した粒状の薬剤含浸体を多数収容したもので、電源収納体には電池が収容されている。
そして、モータでファンを回転することで容器に空気を流通して薬剤を大気に放散する。
【０００３】
特許文献２に開示される薬剤カートリッジが知られている。
この薬剤カートリッジは、開口部を有する外筒体と開口部を有する内筒体から構成された容器と、この外筒体と内筒体との間の隙間に薬剤を含浸させた粒状の薬剤含浸体を多数収容したものである。
【０００４】
【特許文献１】特許公開２００２−２９１３９２号公報
【特許文献２】意匠登録第１１７３１５０号公報
【発明の開示】
【発明が解決しようとする課題】
【０００５】
前述した各薬剤カートリッジは、粒状の薬剤含浸体を容器内に収容し、その容器内に空気を流通することで薬剤含浸体に含浸した薬剤を大気に放散するものであるから、単位体積当たりの薬剤量が少なく、多量の薬剤を有する薬剤カートリッジとすると、全体が大きくなってしまう。
このために、ファン式薬剤放散装置の装置本体内に大きな薬剤カートリッジの設置スペースが必要となり、装置本体が大型となってしまう。
【０００６】
例えば、特許文献１に開示した薬剤カートリッジであれば、容器が厚くなるから、薬剤カートリッジが厚くなる。
また、特許文献２に開示した薬剤カートリッジであれば、容器が大径となるから、薬剤カートリッジが大径となる。
【０００７】
本発明の目的は、単位体積当たりの薬剤量が多く、全体を小さくできる薬剤カートリッジを提供することである。
【課題を解決するための手段】
【０００９】
第１の発明は、通気性と吸液性を有するシートを所定の折り幅で山折り、谷折りを交互に繰り返して多数折り畳んだひだ形状で、かつ扁平な加工シート材２１に薬剤を含浸して保持し、その加工シート材２１の山と谷が連続した形状となった端面部分２２を接合してひだ形状がくずれないように保持した薬剤保持体２０と、固定具３０を備え、
前記固定具３０は、薬剤保持体２０の周縁部を保持する保持部と、前記薬剤保持体２０に空気が流通可能とする空気流通部を有していることを特徴とする薬剤カートリッジである。
【００１０】
第２の発明は、通気性と吸液性を有するシートを所定の折り幅で山折り、谷折りを交互に繰り返して多数折り畳んだひだ形状で、かつ扁平な加工シート材２１に薬剤を含浸して保持し、その加工シート材２１の山と谷が連続した形状となった端面部分２２を接合してひだ形状がくずれないように保持した薬剤保持体２０と、空気流通部を有する容器４０を備え、
前記薬剤保持体２０を前記容器４０内に設けて、当該薬剤保持体２０に空気が流通するようにしたことを特徴とする薬剤カートリッジである。
【００１１】
第３の発明は、通気性と吸液性を有するシートを所定の折り幅で山折り、谷折りを交互に繰り返して多数折り畳んだひだ形状で、かつ扁平な加工シート材２１に薬剤を含浸して保持した薬剤保持体２０と固定具３０を備え、
前記固定具３０は、薬剤保持体２０の周縁部を保持する保持部と、前記薬剤保持体２０に空気が流通可能とする空気流通部を有し、前記薬剤保持体２０の周縁部を挟持して加工シート材２１の山と谷が連続した形状となった端面部分２２を押しつぶしてひだ形状がくずれないように保持していることを特徴とする薬剤カートリッジである。
【発明の効果】
【００１５】
請求項１，２に係る発明によれば、薬剤保持体２０の単位体積当たりに保持している薬剤の量が多く、全体を小さくできる。
特に、多量の薬剤を保持した薬剤カートリッジを薄くすることができる。
また、加工シート材２１の端面部分２２が接合されてひだ形状がくずれないように保持しているので、加工シート材２１の全域に亘って空気がほぼ均一に流通するから、薬剤保持体２０の全域からほぼ均一に薬剤を放散できる。
請求項１に係る発明によれば固定具３０、請求項２に係る発明によれば容器４０を手で持って取り扱うことができ、その薬剤カートリッジの取り扱いが容易であるし、薬剤保持体２０が保持している薬剤が手に付着することがない。
【００１６】
請求項３に係る発明によれば、薬剤保持体２０の単位体積当たりに保持している薬剤の量が多く、全体を小さくできる。
特に、多量の薬剤を保持した薬剤カートリッジを薄くすることができる。
また、加工シート材２１の端面部分２２が固定具３０で押しつぶしてひだ形状がくずれないように保持しているので、加工シート材２１の全域に亘って空気がほぼ均一に流通するから、薬剤保持体２０の全域からほぼ均一に薬剤を放散できる。
【００１７】
また、固定具３０を手で持って取り扱いでき、その薬剤カートリッジの取り扱いが容易であるし、薬剤が手に付着することがない。
しかも、固定具３０によって加工シート材２１の周縁部を挟持することで端面部分２２を押しつぶして保持しているから、その加工シート材２１の端面部分２２を別に接合する必要がなく、簡単に製作できる。
【００２０】
請求項１〜３に係る発明によれば、加工シート材２１が吸液性を有するので、使い切った後に薬液を加工シート材２１に補給して全体に浸透させることができるので、繰り返して使用できる。
【発明を実施するための最良の形態】
【００２１】
本発明の薬剤カートリッジを用いて薬剤を大気に放散させるファン式薬剤放散装置の一例を図１に基づいて説明するが、このファン式薬剤放散装置に限ることはないことは勿論である。
図１に示すように、装置本体１に送風機２が設けてあると共に、本発明に係る薬剤カートリッジ３が着脱自在に取付けてあり、その送風機２のファン４をモータ５で回転すると薬剤カートリッジ３に空気が流通するように構成してある。
前記装置本体１は本体部１０とカバー部１１を備え、送風機取付部１２と電池取付部１３を形成していると共に、空気吸込部１４と空気吐出部１５を有している。
前記送風機２はハウジング６にファン４とモータ５を設けたもので、そのハウジング６が送風機取付部１２に設けてあり、ハウジング６の吸込口６ａが空気吸込部１４に連通し、図示しない吐出口が空気吐出部１５にそれぞれ連通している。
前記電池取付部１３に電池７が取付けてある。
前記カバー部１１は開閉自在に本体部１０に連結され、このカバー部１１を開放することで薬剤カートリッジ３、電池７を取付け、取り外しできるようにしてある。
【００２２】
前記薬剤カートリッジ３は薬剤保持体２０と固定具３０を備えている。なお、薬剤カートリッジ３は薬剤保持体２０と固定具３０に限ることはなく、薬剤保持体２０と後述する容器で構成しても良いし、薬剤保持体２０のみで構成しても良い。
【００２３】
前記薬剤保持体２０は、図１〜図５に示すように通気性と吸液性を有するシートを所定の折り幅で山折り、谷折りを交互に繰り返して多数折り畳んだひだ形状で、かつ扁平な加工シート材２１に薬剤を含浸して保持したものである。
よって、加工シート材２１の単位体積当たりの表面積が大きく、多くの薬剤を保持できるから、薬剤保持体２０の単位体積当たりの薬剤量が多く、全体を小さくできる。
例えば、多量の薬剤を保持した薬剤保持体２０を薄くすることができる。
【００２４】
そして、前記加工シート材２１の折り畳んだ側の端面部分２２を熱溶着などで接合してひだ形状がくずれないように保持し、折り畳みの間隔を維持している。つまり、シートを多数折り畳んだひだ形状のままであると、外力によって伸びてひだ形状がくずれ、折り畳みの間隔が維持できない。
【００２５】
このようであるから、加工シート材２１の全域に亘って空気がほぼ均一に流通するので、薬剤保持体２０の全域からほぼ均一に薬剤が放散する。
したがって、薬剤保持体２０の保持している薬剤の量は全域に亘ってほぼ均一に減少し、その薬剤保持体２０が保持している薬剤を有効利用できる。
【００２６】
この実施の形態では、薬剤保持体２０は平面形状が円形で、加工シート材２１の折り畳んだ側の端面部分２２が円形リング状となっている。
なお、薬剤保持体２０は平面形状が矩形であっても良く、その場合には対向した２つの端面部分を接合すれば良い。
【００２７】
前記固定具３０は薬剤保持体２０の周縁部を保持して薬剤保持体２０を所定形状に維持し、折り畳み方向に変形しないようにしていると共に、その固定具３０を手で持つことで薬剤カートリッジ３を取り扱うことができ、薬剤カートリッジの取り扱いが容易で、薬剤が手に付着しないようにしている。なお、薬剤保持体２０の固定具３０による保持部分以外には空気が流通することは勿論である。
【００２８】
つまり、固定具３０は薬剤保持体２０を保持する保持部と、空気が流通する空気流通部を備えている。
例えば、固定具３０は支持部材３１と押え部材３２を備え、その支持部材３１はリング体３３の下部に支持片３４を設けた形状で、支持片３４がリング体３３の内面３３ａよりも内方に突出している。
前記押え部材３２は、支持部材３１のリング体３３に嵌合するリング形状である。
そして、薬剤保持体２０を支持部材３１のリング体３３内に嵌め込むように設けて外周縁部分（前述の接合した端面部分２２）を支持片３４に接し、押え部材３２をリング体３３に嵌合して取付けて前述の外周縁部分に押しつけて支持片３４と押え部材３２で薬剤保持体２０の外周縁部分を挟持する。
つまり、リング形状の支持部材３１と押え部材３２が前述の保持部で、その支持部材３１、押え部材３２の内部が前述の空気流通部である。
【００２９】
この実施の形態では図５に示すように、加工シート材２１の接合部分（端面部分２２）が、その加工シート材２１の厚さ方向中央に位置し、その接合部分を固定具３０で保持した状態で、加工シート材２１の上面２１ａ、下面２１ｂが保持部分よりも等しい寸法だけ上方、下方に張り出すようにしてある。
【００３０】
これに限ることはなく、図６に示すように加工シート材２１の接合部分（端面部分２２）を加工シート材２１の下面２１ｂとほぼ同一高さとし、その接合部分を固定具３０で保持した状態で、加工シート材２１の上面２１ａが保持部分よりも大きく上方に張り出すようにしても良い。
このようにすれば、薬剤保持体２０の下面２０ａと固定具３０の下面３０ａをほぼ面一、好ましくは面一にできると共に、固定具３０の上下寸法を小さくできるので、薬剤カートリッジ３を装置本体１に載置し易いと共に、固定具３０を小さくできる。
例えば、図１においてはハウジング６の上面６ｂに薬剤カートリッジ３を載置してあるので、薬剤保持体２０の下面２０ａと固定具３０の下面３０ａを同一高さとして載置し易くする必要があり、図６に示す薬剤カートリッジ３の上下寸法Ｈ１よりも図５に示す薬剤カートリッジ３の固着具３０の上下寸法Ｈ２が大きくなる。つまり、支持片３４の厚さ（上下寸法）が異なる。
【００３１】
前述した薬剤保持体２０の加工シート材２１は通気性だけではなく、吸液性を有しているので、その薬剤保持体２０が保持している薬剤を全て大気に放散した場合、つまり薬剤カートリッジを使い切った後に、その加工シート材２１に薬液を補給することで全域に亘って浸透するから、再び薬剤を保持した薬剤保持体とすることができる。
したがって、使い切った薬剤カートリッジを繰り返して使用できる。
【００３２】
このように、使い切った後に薬液を補給するのに好ましい薬剤カートリッジを図７、図８に基づいて説明する。
前記固定具３０の支持片３４を、外周リング３４ａと内周リング３４ｂを連結片３４ｃで連結した形状とする。
固定具３０の押え部材３２を、外周リング３２ａと内周リング３４ｂを複数の連結杆３２ｃで連結した形状とする。
このような薬剤カートリッジであれば、薬剤保持体２０における内周リング３２ｂで囲まれた部分に薬剤を供給することができ、その薬剤の補給が容易にできる。
【００３３】
前述した図７、図８に示す固定具３０によれば、薬剤保持体２０の上面と下面を各内周リング３２ｂ，３４ｂ、各連結杆３２ｃ、３４ｃで支持できるから、薬剤保持体２０の垂れを防止できる。この場合に、内周リング部、連結片は支持部材３１と押え部材３２の一方にのみ設けても良い。
なお、内周リングの大きさ、形状、数は自由であり、薬剤保持体２０の大きさ、加工シート材の使用材料、薬剤含浸量などに応じて設定することが望ましい。
また、支持部材３１にのみ内周リング、連結片を設け、その内周リング、連結片の上面に凹部を形成し、前述のように補給した薬液が凹部に溜まることで、液垂れを防止することもできる。
【００３４】
なお、図示は省略するが図３に示す薬剤カートリッジの加工シート材２１の表面に、薬液を補給する部分の目印、例えば色、マークを付しても良い。
【００３５】
次に、他の実施の形態を説明する。
図９に示すように、薬剤保持体２０を加工シート材２１の端面部分２２が接合されていない形状とする。
そして、固定具３０で加工シート材２１の周縁部を挟持することで前述した図４に示すように加工シート材２１の端面部分２２を押しつぶして保持し、ひだ形状がくずれないようにする。
この場合には、支持部材３０のリング体３３に押え部材３２が螺合し、加工シート材２１の端面部分２２をしっかりと螺合できるようにすることが好ましい。
【００３６】
前述の図２に示すように端面部分２２を接合した薬剤保持体２０のみで薬剤カートリッジとしても良い。
【００３７】
前述の薬剤保持体２０を空気流通部を有する容器４０内に設けて薬剤カートリッジ３としても良い。
例えば、図１０に示すように容器４０は、リング形状で内周部分が空気流通部で、外周リング状部に内向きの凹部４１を有する形状で、この内向きの凹部４１内に薬剤保持体２０の接合した端面部分２２（つまり、周囲）を嵌め込んで薬剤保持体２０を容器４０内に設ける。
【００３８】
このようにすれば、容器４０を手で持って取り扱いできるから、その取り扱いが容易であると共に、薬剤が手に付着することがない。
【００３９】
以上の各実施の形態によれば薬剤保持体２０を円形状で、固定具３０、容器４０をリング形状としたが、これに限ることはなく薬剤保持体２０を矩形状、三角形状、半円形状などにし、固定具３０、容器４０を矩形枠状、三角形枠状、半円形枠状などにしても良い。
つまり、固定具３０は薬剤保持体２０の周縁部を保持、押しつける形状で、空気流通部を有するものであれば良く、容器４０は薬剤保持体２０を収容すると共に、空気流通部を有するものであれば良い。
【００４６】
前述したように、本発明の薬剤カートリッジはファン式薬剤放散装置の装置本体１に設け、送風機２で送風することで薬剤を大気に放散するようにしたが、これに限ることはなく、薬剤カートリッジを設置手段を用いて室内等に設置し、自然揮散によって薬剤を大気に放散することも可能である。
この場合には、薬剤カートリッジの形状を扇子形状、提灯形状、アコーデオン形状、カーテン形状とすることもできる。
【００４７】
本発明の加工シート材２１に用いるシートは、通気性と吸液性を要求されるため、不織布や織編物等に加工してなる形態が好ましい。さらに、材質としては使用される薬剤に応じ、耐薬剤性を有することが望まれる。例えば、天然繊維としてパルプ、綿、羊毛、麻、絹等、合成繊維としてポリプロピレン、ポリエチレン、ポリアミド、ポリエチレンテレフタレート、ポリブチレンテレフタレート、ポリサルフォン、レーヨン、メタアクリル酸樹脂、ガラス繊維等が挙げられる。
【００４８】
前記加工シート材２１のシートとしては、薬液の吸液性かつ保持性を確保するために、その厚さは０．０２ｍｍ〜１．０ｍｍの範囲が好ましい。
また、薬剤を放散（空気の流通性）させやすくするためには、シートの密度は０．０５〜１．０ｇ／ｍ３の範囲が好ましい。
【００４９】
また、加工シート材２１の折り幅については、折り畳み幅にも関係するので断定することができないが、薬剤カートリッジの小型化、特に薄型化を目指す上で、折り幅を長くすると薬剤含浸体の厚みが増大していく傾向にあることから好ましいとはいえず、薬剤含浸体の面積に応じて決めることが望ましい。折り幅は、好ましくは３０ｍｍ以下、２ｍｍ以上である。
【００５０】
また、加工シート材２１の折り畳んだひだとひだの間の間隔については特に制限されないが、間隔が広いと薬剤含浸量が少なく、押圧状態（重ねて押さえつけられた状態）であると薬剤含浸量は増えるが空気の流通を阻害し薬剤の放散を妨げる。前述の間隔は、好ましくは１０ｍｍ以下、１ｍｍ以上（目視で接触すれすれの状態）である。
また、ひだ形状としては、同一の高さ（折り幅、折り畳み間隔が同じ）の他に、ちぐはぐな高さ（折り幅が異なり、間隔が同じ）、中央よりに高い、などの形状、また水平形状の他に弓なり、などの形状が挙げられる（熱溶着の場合、外周が丸みを帯びた状態になる）。
【００５１】
前記固定具３０の材質としては、樹脂類（ポリエチレンテレフタレート、ポリプロピレン、ポリエチレン、ポリアセタール、ナイロン、アクリル、ＡＢＳ、ＡＳなど）合成紙、金属類などが挙げられる。
【００５２】
本発明に用いる揮散性の薬剤としては、常温、送風で揮散する害虫防除剤（殺虫剤、忌避剤、昆虫成長制御剤、殺ダニ剤、防虫精油など）、芳香剤、消臭剤、除菌剤、害獣忌避剤などが挙げられる。前述の薬剤としては、メトフルトリン、トランスフルトリン、プロフルトリンから選ばれた少なくとも１つの害虫防除剤が好ましい。
これら薬剤は高致死活性を示し、使用量が微量でよく、小型の薬剤カートリッジに最適である。
【００５３】
前記薬剤に、薬剤を除放化する揮散調整剤（ワセリン類、グリコール類など）、溶解剤（パラフィン類、多価アルコール、脂肪酸エステル類など）、酸化防止剤（ＢＨＴ，ＢＨＡなど）、インジケータ機能剤（色変色素など）、紫外線吸収剤などを必要に応じて使用する。
【００５４】
前述したように、使い切った後に薬剤を補給する方法としては、量表示されたスポイト式容器、適量収容されたアンプル容器、定量型容器、定量カップ付き容器などの定量容器、ノズル容器などで補給量を目視で確認しながら供給、などが挙げられる。
また、補給に際し、補給時期が目視で確認できれば便利であるので、従来から知られているインジケータを用いた薬剤含浸体２０に含浸した薬剤が全て大気に放散された時期を表示するようにすることが好ましい。
【図面の簡単な説明】
【００５５】
【図１】ファン式薬剤放散装置の一例を示す断面図である。
【図２】薬剤カートリッジの分解斜視図である。
【図３】薬剤カートリッジの平面図である。
【図４】図３のＡ−Ａ断面図である。
【図５】図３のＢ−Ｂ断面図である。
【図６】薬剤カートリッジの第２の実施の形態を示す断面図である。
【図７】固定具の他の実施の形態を示す平面図である。
【図８】図７のＣ−Ｃ断面図である。
【図９】異なる形状の薬剤保持体を備えた薬剤カートリッジの分解斜視図である。
【図１０】薬剤カートリッジの第３の実施の形態を示す断面図である。
【符号の説明】
【００５６】
１…装置本体、２…送風機、３…薬剤カートリッジ、２０…薬剤保持体、２１…加工シート材、２２…端面部分、３０…固定具、４０…容器、４２…内筒、４３…外筒、４６…環状の中空部、４７…軸心の中空部。
【図１】
0004730934.tif 000002
【図２】
0004730934.tif 000003
【図３】
0004730934.tif 000004
【図４】
0004730934.tif 000005
【図５】
0004730934.tif 000006
【図６】
0004730934.tif 000007
【図７】
0004730934.tif 000008
【図８】
0004730934.tif 000009
【図９】
0004730934.tif 000010
【図１０】
0004730934.tif 000011